Podtech/llm-jp-corpus-v4-ja_patent huggingface dataset:
(57)【要約】      （修正有）【課題】収納家具を敷居、配線コードカバー等をまたいで設置可能とし、巾木がある場合、収納家具本体の背面と壁面との間の隙間をなくし、部屋と部屋の段差がある場合の設置を簡単に可能とする収納家具を提供する。【解決手段】台輪を有しない箱型収納家具本体の底部にジョイナー、ボルト等により収納家具本体の側板より１０ｍｍ以上短いサイズの左右台輪側板１を後方１０ｍｍ以上の空間を設けて取り付け、後台輪板、或いは前台輪板も同様に取り付ける。設置場所に敷居、配線コードカバーがある場合、前後台輪板を取り外すことにより敷居８、配線コードカバー７をまたいで安定設置可能とする。又、部屋と部屋の間に段差がある場所に設置する場合は片側の台輪側板、及び前後台輪板を取り外すことにより段差を少なくして収納家具を設置可能とする。巾木６のある場合１０ｍｍ以上の台輪側板後方隙間により巾木６を避け壁面１０に隙間なく設置可能とするものである。【選択図】図４
0003165394.tif 000002
【実用新案登録請求の範囲】
【請求項１】
（１）台輪を有しない箱型収納家具本体の底部に（２）ジョイナー、ボルト等により収納家具本体側板より１０ｍｍ以上短いサイズの左右台輪側板を１０ｍｍ以上後方に空間を設けて取り付け、（３）前後台輪板、或いは前台輪板のみを同様に取り付け、（４）必要に応じて各台輪を取り外し可能とした台輪板を備えた構造を特徴とする収納家具。
【考案の詳細な説明】
【技術分野】
【０００１】  本考案は取り付け、取り外し可能な台輪を有する箱型収納家具に関するものである。
【背景技術】
【０００２】  従来の収納家具は台輪が本体と一体であり部屋と部屋の間の敷居、段差、或いは配線コードカバーのある場所での安定設置が困難であり、又巾木により収納家具背面と壁面に隙間ができる場合がある。
【考案の開示】
【考案が解決しようとする課題】
【０００３】  従来の収納家具は部屋と部屋の間の敷居、段差、或いは配線コードカバーのある場所での安定設置が困難である点、及び巾木がある場合、収納家具背面と壁面に隙間ができる点を解決課題とする。
【課題を解決するための手段】
【０００４】  本考案は従来の問題点を解決するために左右台輪板、前後台輪板、又は前台輪板をジョイナー、ボルト等により収納家具本体底部に取り付け、取り外し可能とし、左右台輪側板後方を収納家具側板より１０ｍｍ以上短くすることを解決手段とするものである。
【考案の効果】
【０００５】  上記考案の台輪を取り付け、取り外し可能とし、台輪側板の後方を収納家具本体側板より１０ｍｍ以上短くすることにより、巾木を避けて収納家具の背面を壁面に隙間なく設置可能となり、敷居や配線カバーがある場合は前後台輪板を取り付けないことにより敷居、配線カバーをまたいで収納家具を設置することが可能となり、又部屋と部屋の間に段差がある場合は前後台輪板、及び片側の台輪側板を付けないことにより段差に対応、設置することが可能となる。
【考案を実施するための最良の形態】
【０００６】  台輪を取り付け、取り外し可能とし、台輪側板の後方を収納家具側板より１０ｍｍ以上短くすることにより、巾木を避けて壁面に収納家具背面を隙間なく設置可能とし、又前後台輪を取り付けないことにより敷居、配線カバーをまたいで収納家具の設置を可能とし、部屋と部屋に段差のある場合前後台輪板、及び片側の台輪側板をつけないことにより段差に対応可能とする本考案を以下、図１〜図４を参照して実施するため最良の形態を説明する。
【実施例】
【０００７】  以下、添付図に従って実施例を説明する。図１は箱型収納家具本体と本体３の側板より後方５が１０ｍｍ以上短い台輪側板１、及び台輪前板２を取り付け平置した形態を説明した参考斜視図である。尚、収納家具のサイズ、形状、及び台輪形状等は図示に限定するものではない。【０００８】  図２は台輪の構成を説明する図である、収納家具底部とはジョイナーボルト等１１により接続される。前台輪板２は本図では左右台輪側板１に挟まれた形態であるが、図１のような前台輪板２が前面付けの場合もあり組合せ方法、及び左右台輪側板１と前後台輪板２，４との接続方法、ジョイナー、ボルト等の形状、仕様、取り付け方法は多種、多様であり限定するものではない。台輪後板４は付属しない場合もある。【０００９】  図３は収納家具本体３に台輪１を取り付けた状態の側面図である。台輪側板１は収納家具側板３より後方が１０ｍｍ以上短い形態５を説明する図である。【００１０】  図４は敷居８、或いは配線コードカバー７をまたいで設置するために図１、図２で説明された台輪前板２、台輪後板４を取り外し、巾木６部分を避けるため後ろ部分で１０ｍｍ以上短くした台輪側板１により壁面に隙間なく設置可能とした状態の説明図である。また部屋と部屋に段差がある場合は左右台輪側板１の片側、及び前後台輪板を外し設置する。アジャスター９を付属すれば、より微調整が可能である。
【図面の簡単な説明】
【００１１】
【図１】取り外し可能台輪を有する収納家具斜視図。
【図２】台輪の構成斜視図。
【図３】台輪を取り付けた収納家具側面図。
【図４】取り外し可能台輪を有する収納家具設置参考例斜視図。
【符号の説明】
【００１２】  １  左右台輪側板
２  前台輪板
３  収納家具本体
４  後台輪板
５  後が１０ｍｍ以上短い部分
６  巾木
７  配線コードカバー
８  敷居
９  アジャスター
１０  壁面
１１  ジョイナー、ボルト等
【図１】
0003165394.tif 000003
【図２】
0003165394.tif 000004
【図３】
0003165394.tif 000005
【図４】
0003165394.tif 000006
(57)【要約】【課題】  アキレス腱を伸ばしながら足首の関節全体を柔軟にし、同時に下腿三頭筋や足裏および足指を鍛えることが可能で、使用場所の選択範囲が広く、かつ自由な姿勢で安全に使用できる小型軽量で携帯可能なストレッチ器具の提供。【解決手段】  ストレッチに有効な傾斜角度に踵と足首を固定する形状の足置き台の足裏部分または足指部分またはその両方を、ボール状の球体を置くための受け皿となる形状に成形し、受け皿の上に自由に回転する球体を置き、固定した足首と踵部分を支点として足裏や足指でボール状の球体を回転させることで、アキレス腱、足首、下腿三頭筋、足裏および足指の複合的な運動が可能となる。【選択図】図１
0003165395.tif 000002
【実用新案登録請求の範囲】
【請求項１】
ストレッチに有効な傾斜角度に踵と足首を固定する形状の足置き台の足裏部分または足指部分またはその両方を、ボール状の球体を置くための受け皿となる形状に成形し、受け皿の上に自由に回転する球体を置くことを特徴としたアキレス腱ストレッチ用器具。
【考案の詳細な説明】
【技術分野】
【０００１】  本考案は、アキレス腱を伸ばしながら足首の関節全体を柔軟にし、同時に下腿三頭筋や足裏および足指を鍛えることを目的としたアキレス腱ストレッチ用器具に関する。
【背景技術】
【０００２】  従来のアキレス腱のストレッチを目的とした器具に、平面の足置き台を踵側に対して足指側を高く傾斜させた物があるが、足首の運動方向が一つの方向へ限定されることで足全体の運動ができなかった。【０００３】  また、足置き台の上に起立する必要があるため、携帯に不便な大きさになることや、安定して設置できる場所が平らな床などに限定された。
【考案の概要】
【考案が解決しようとする課題】
【０００４】  アキレス腱を伸ばしながら足首の関節全体を柔軟にし、同時に下腿三頭筋や足裏および足指を鍛えることが可能で、使用場所の選択範囲が広く、かつ自由な姿勢で安全に使用できる小型軽量で携帯可能なストレッチ器具の提供を課題とする。
【課題を解決するための手段】
【０００５】  本考案は、ストレッチに有効な傾斜角度に踵と足首を固定する形状の足置き台の足裏部分または足指部分またはその両方を、ボール状の球体を置くための受け皿となる形状に成形し、受け皿の上に自由に回転する球体を置くことを特徴とする。【０００６】  器具は左右の足用が一対でも良いし左右を兼用としても良い。
【考案の効果】
【０００７】  固定した足首と踵部分を支点として足裏や足指でボール状の球体を回転させることで、アキレス腱、足首、下腿三頭筋、足裏および足指の複合的な運動が可能となる。【０００８】  左右の器具を分離することで左右の足を交互に鍛える事が可能になるようになり携帯利便性が向上する。【０００９】  左右を交互に使用することで当然他方の足は軸足として機能する結果、安全性が高まり浴室や戸外での使用での安全性も確保できる。【００１０】  また、椅子など座って使用する場合には２つの器具または一対の器具を用いて左右を同時に鍛えることもできる。【００１１】  球体の大きさは使用者個々の柔軟度や目的に合わせて、ゴルフボール程度、テニスボール程度、野球ボール程度などに自由に変更することもできるし、ボールに凹凸を付けることで足裏のつぼを刺激することもできる。
【図面の簡単な説明】
【００１２】
【図１】本考案に係るストレッチ器具
【図１】
0003165395.tif 000003
(57)【要約】【課題】肥満による弊害を無くすことと外見上の問題を解決する目盛付ダイエットベルトを提供する。【解決手段】目盛付ダイエットベルトを常時付けることによってウエストサイズの変化を目盛により常に知ることが出来、その結果肥満を防ぎ一定のウエストサイズをキープするように心掛けることが出来るようになった。【選択図】図１
0003165397.tif 000002
【実用新案登録請求の範囲】
【請求項１】
ウエストベルトに目盛を直接、若しくは、目盛付きの着脱部材を付けたことを特徴とする目盛付ダイエットベルト。
【請求項２】
上記目盛が上記ウエストベルトの締付け止め部を基準位置として前記ウエストベルトの長手方向に１ミリ単位で付したことを特徴とする請求項１に記載の目盛付ダイエットベルト。
【考案の詳細な説明】
【技術分野】
【０００１】本考案はウエストベルトに目盛を付けることに関する。
【背景技術】
【０００２】ウエストサイズを測定する方法は、目盛のついたヒモ状の巻尺で測定する方法で一般的に行われている。
【先行技術文献】
【特許文献】
【特許文献１】特開平１０−６０７１９号公開公報
【考案の開示】
【考案が解決しようとする課題】
【０００３】肥満が体に及ぼす影響は健康上あらゆる病気を引き起こすことが知られている．例えば糖尿病、心臓疾患、高血圧、等である。又外見上の問題もある。（衣服のサイズが限られるなど）【０００４】肥満は多くの人々の抱える問題でありこの問題の解決が切望されている。
【課題を解決するための手段】
【０００５】  本考案は、ウエストベルトの少なくとも裏側に１ミリ単位で目盛を付けたり、或いは１ミリ単位で目盛を付けた着脱部材（片面テープ、マジックテープ（登録商標）、筒体等）をウエストベルトに取付けることによって課題を解決できた。
【考案の効果】
【０００６】目盛を付けたウエストベルトをする事により食べすぎが分かる為過食が抑えられる。【０００７】ウエストベルト毎に、目盛付きの着脱部材を取り替えて付けられる。【０００８】ウエストベルトを常時付けることにより肥満防止効果が得られ課題解決になる。【０００９】ウエストベルトに取り付けられた目盛によりウエストサイズが自覚でき、肥満を予防する事が出来課題を解決する。
【図面の簡単な説明】
【００１０】
【図１】本考案の一実施例を示すウエストベルトの全体図
【図２】ウエストベルトの装着状態図
【図３】既存のウエストベルトに付けた目盛を示す詳細図である。
【考案を実施するための最良の形態】
【００１１】ウエストベルトの最小の穴から計り４０センチの所から１ミリ単位で目盛を最後尾まで付けることにより正確なサイズ測定ができる。【００１２】このウエストベルトを付けることによって飲食時に摂取過剰感が分かり肥満防止に役立てることができる。
【実施例】
【００１３】図１に図示する通り、ウエストベルト１の裏側に、本実施例では１ミリ単位で４０センチ幅の目盛２があるため、ウエストベルト１の留め穴１ｃに、留め金具１ａと留めフック１ｂを介して着用することにより自分のウエストサイズを何時も自覚でき、一定のサイズをキープするように心掛けることが出来るようになった。【００１４】図２で示すウエストベルト１に刻まれた目盛２はウエストサイズの変化を表すので肥満予防に役立てることが期待できる。本実施例では、ウエストベルト１に直接目盛を付けたが、ウエストベルト１の要部に、図示省略の目盛付き片面テープを貼付けたり、目盛付きマジックテープ（登録商標）、目盛付き筒体等を装着することもできることは言うまでもない。
【符号の説明】
【００１５】１・・・ウエストベルト
１ａ・・留め金具
１ｂ・・留めフック
１ｃ・・留め穴
２・・・目盛
【図１】
0003165397.tif 000003
【図２】
0003165397.tif 000004
【図３】
0003165397.tif 000005
(57)【要約】【課題】  一人で墨出しのできる墨出し糸押さえ器具を提供すること。【解決手段】  本考案は所望の高さを有する任意寸法の長方形鋼板の両端部を同一方向に所望の角度に折り曲げて墨出し器本体を形成し、この一方の折り曲げ部の先端部に複数の墨出し糸ポイント合せ溝を形成し、他方の折り曲げ部には墨出し糸接触防止用の開口を形成し、残余の折り曲げ部の先端部に前記と同様に複数の墨出し糸ポイント合わせ溝を形成し、前記墨出し器本体の上面あるいは、折り曲げ部には任意の数のカルコ針刺しを設けたものである。【選択図】図１
0003165472.tif 000002
【実用新案登録請求の範囲】
【請求項１】
鉄又はステンレス製所望の重量で、フラットバーの両端部に角度を付けた糸押さえ器具であって、この糸押さえ器具の任意の位置に針の付いたカルコを刺す穴を幾つか設け、
且つカルコ針を刺す反対側の部位は、糸が通る門型の形状であり、前記角度を付けた両端部の設置面には任意数の糸溝を設け、水平及び垂直に墨出しを可能にすることを特徴とする墨出し糸押さえ器具。
【考案の詳細な説明】
【技術分野】
【０００１】
本考案は、墨つぼの先端及び墨糸を押さえることのできる墨出し糸押さえ器具に関する。
【背景技術】
【０００２】
建設現場、製造、制作、加工組み立て工場等において、カルコの刺さらない硬質な材料に、基準の墨又は仕上げ墨を出す場合、従来は床、壁、天井等に基準となるポイントを測り出し、そのポイントに一人が墨出し機の先端を押さえ、もう一人が墨出し機の本体を持ち、終点のポイントに押さえ、墨打ちを床、壁等の部位に二人で行っていた。
【０００３】
又一人の作業員が墨出しをしなければならない場合があり、コンクリートブロックなどを重りとする墨出し方法では、墨出しの精度が悪くその重りの角で墨糸が切れ易く、更に移動及び設置が不便で不具合が多かった。先行技術文献に記載された発明面もその一例である、従って従来から、カルコの刺さらない硬質の材料に一人で墨出し作業を行うことができる墨出し糸押さえ器具の提供が望まれている。
【０００４】
すなわち先行技術文献に記載された発明は、円盤状に形成した重り型にいくつかの溝を設けたものであり、カルコを円盤状の中心に引っ掛け墨糸を多数あるその溝を通しポイントに押さえ墨出しをする補助具である。
【０００５】
しかしながら墨出し器本体の真下には墨出しができない。また床、壁の取り合い部、入り隅部の墨が重要な場合が多いことから、円盤型なので床等が水平でない場合が多いことから墨出しポイントに合わせにくく、墨出しの精度が確保しにくい、又安定性にもおとる、という問題点を残している。
【先行技術文献】
【特許文献】
【０００６】
【特許文献１】特開平9-94777号公報
【考案の概要】
【考案が解決しようとする課題】
【０００７】
先行技術との違いは、所望の高さを有する任意寸法の長方形鋼板の両端部を同一方向に所望の角度に折り曲げて墨出し器本体を形成し、この一方の折り曲げ部の先端部に複数の墨出し糸ポイント合せ溝を形成し、他方の折り曲げ部には墨出し糸接触防止用の開口を形成し、残余の折り曲げ部の先端部に前記と同様に複数の墨出し糸ポイント合わせ溝を形成し、前記墨出し器本体の上面あるいは、折り曲げ部には任意の数のカルコ針刺し穴を設けたものである。
【０００８】
墨出しは、通常２、３人で行うため、人件費や段取り連絡調整等による経済的、労働的負担も大きく、又人員、時間等の確保も必要になる。
従って墨出し機の先端部（カルコ）を押さえる人を物に変えれば、他者の手を借りることなく単独作業ができるため、人員の確保や連絡等の作業負担を削減できる。
【課題を解決するための手段】
【０００９】
本考案は所望の高さを有する任意寸法の長方形鋼板の両端部を同一方向に所望の角度に折り曲げて墨出し器本体を形成し、この一方の折り曲げ部の先端部に複数の墨出し糸ポイント合せ溝を形成し、他方の折り曲げ部には墨出し糸接触防止用の開口を形成し、残余の折り曲げ部の先端部に前記と同様に複数の墨出し糸ポイント合わせ溝を形成し、前記墨出し器本体の上面あるいは、折り曲げ部には任意の数のカルコ針刺しを設けたものである。  
【００１０】
本考案によれば、鉄及びステンレス製の任意の重量のフラットバーの両端部を60°〜75°に角度を付けたもので、墨出し機先端の針の付いたカルコを刺す穴を幾つか設け、且つカルコ針を刺す反対側の部位には、糸が通る門型の形状とし、60°〜75°に角度を付けた両端部の設置面には糸溝を設け水平及び垂直に墨出しが、一人でも可能になる事により問題点を解決している。
【考案の効果】
【００１１】
上記の様に、本考案の鉄及びステンレス製の任意のフラットバーの両端を60°~75°に角度を付けた物を墨出し始点に設置したので、針の刺さらない部位の墨出しが、水平及び垂直(縦墨)が一人でも容易に出来る事ようになり、今まで作業員（補佐）を必要としていた場合に係わる作業員（人員）のスケジュール調整の労務やそれにかかる時間及び、作業員（補佐）の人件費の削減に確実に役立つものである。
【００１２】
このように構成された墨出し糸押さえ器具は、床が多少の水平でなくても設置面が床に対し少ないので墨出しポイントに合わせやすい、又本体部の真下もよりポイントに近いことから墨出しが可能となっている。
【図面の簡単な説明】
【００１３】
【図１】本考案の単独墨出し位置押さえ器具の実施例を示す斜面図である。
【図２】本考案の単独墨出し位置押さえ器具の実施例を示す断面図である。
【図３】水平部に使用する状態を示す図である。
【図４】垂直部に使用する状態を示す図である。
【考案を実施するための形態】
【００１４】
以下、図に従って一実施例を説明する。
１は鉄又はステンレス製等適正素材の任意重量の平板の両端を60°〜75°の角度に折り曲げて一体化形成された墨出し器本体であり、11、12はその折り曲げ部である。
２は墨出しをする際に図２に示すカルコ６の先端針を刺して固定する穴で、それぞれの折曲げ部11、12及び本体１の上面に設けられている。
３は折曲げ部11、12の先端および本体の上部側面にそれぞれ設けられ、かつ墨出しの基準となるポイントに墨糸を合わせる2mm程度の溝である。４は折曲げ部１２に形成され、カルコ６、墨出しポイント溝３に設置してから墨打ちをする際墨糸接触防止溝型開口で、５は墨出し糸である。
【実施例】
【００１５】
墨出機本体の先端にあるカルコを墨出し器具の両方及び両脇にあるカルコ先固定穴に差し込み固定しその墨出し固定器具を床、壁等の基準のポイント(A)-１.２.３.４にあるカルコ先固定穴の真下にある墨出し固定器具の糸通し溝に糸が設置されたあとに墨出し器具を片手で設置して離すとともに、片方の手で墨出し機本体をポイント(B)まで移動し墨糸をはじき線を出す。又壁等（垂直面）の墨出しも前文と同じ工法であるが墨出し固定器具の設置は床面とする。
【符号の説明】
【００１６】
１  墨だし機本体
２  カルコ針刺し固定穴
３  墨出し糸ポイント合わせ溝
４  墨出し糸接触防止溝型開口
５  墨出し用糸
６  カルコ
11、12  折り曲げ部
【図１】
0003165472.tif 000003
【図２】
0003165472.tif 000004
【図３】
0003165472.tif 000005
【図４】
0003165472.tif 000006
(57)【要約】【課題】車両の所定の箇所に取り付け、車両電源又は方向指示ランプスイッチの起動により発光様態を制御する車両の補助ランプを提供する。【解決手段】車両の補助ランプは、車両の車体上に取り付けられ、複数の第１の発光素子２１及び複数の第２の発光素子２２を有するランプユニット２と、ランプユニット２の第１の発光素子２１及び第２の発光素子２２と、方向指示ランプスイッチ４及び電源５とに電気的に接続された制御ユニット３とを備える。【選択図】図１
0003165457.tif 000002
【実用新案登録請求の範囲】
【請求項１】
車両の車体上に取り付けられ、複数の第１の発光素子及び複数の第２の発光素子を有するランプユニットと、
前記ランプユニットの前記第１の発光素子及び前記第２の発光素子と、方向指示ランプスイッチ及び電源とに電気的に接続された制御ユニットと、を備えることを特徴とする車両の補助ランプ。
【請求項２】
前記ランプユニットは、前記車体のヘッドライト若しくはバックライトに隣接した箇所、又は前記ヘッドライト若しくは前記バックライトのランプ室内に取り付けられていることを特徴とする請求項１に記載の車両の補助ランプ。
【請求項３】
前記第１の発光素子及び前記第２の発光素子は、発光ダイオード又は表面実装型ＬＥＤであることを特徴とする請求項１又は２に記載の車両の補助ランプ。
【考案の詳細な説明】
【技術分野】
【０００１】
本考案は、車両の補助ランプに関し、特に、車体の所定の場所に取り付けるランプに関する。
【背景技術】
【０００２】
一般に、各種車両には、様々なランプが取り付けられている。例えば、前照灯は、天候が悪かったり、周囲が暗かったり、夜間などで視界が良好でないときに運転する際、前方を照らし、運転者が道路状況を把握するのに用いる最も主要かつ重要な車両照明装置である。尾灯は、車両が後方に進行するとき、後方を照らすために用いる。方向指示ランプは、車両が進行方向を変更するとき、左右両側に設けられたランプを起動して発光させる。ブレーキランプは、ブレーキを踏むと、発光し続ける。上述の各種ランプは全て、当該車両を運転している運転者自身、他車両の運転者、歩行者などに車両の進行方向を知らせることで、運転の安全を確保し、事故の発生を防止するために用いる。しかし、上述の各種ランプの取り付け方法は、各メーカーに共通する配置方式であるため、各車両には特徴がなかった。
【０００３】
運転者は、車両の車体にあとからランプを取り付ける際、車両の電源にランプを電気的に接続させ、電源のスイッチによりランプをオンしたりオフしたりする。しかし、この方法で取り付けた場合、ランプは、車両が起動しているときしか発光させることができない。また、光の色が単一であり、他のスイッチにより異なる色に切り替えることができず、単調で警告機能も限定的である。
【考案の概要】
【考案が解決しようとする課題】
【０００４】
本考案の目的は、車両の所定の箇所に取り付け、車両電源又は方向指示ランプスイッチの起動により発光様態を制御する車両の補助ランプを提供することにある。
【課題を解決するための手段】
【０００５】
上記課題を解決するために、本考案の第１の形態によれば、車両の車体上に取り付けられ、複数の第１の発光素子及び複数の第２の発光素子を有するランプユニットと、前記ランプユニットの前記第１の発光素子及び前記第２の発光素子と、方向指示ランプスイッチ及び電源とに電気的に接続された制御ユニットと、を備えることを特徴とする車両の補助ランプが提供される。
【０００６】
また、前記ランプユニットは、前記車体のヘッドライト若しくはバックライトに隣接した箇所、又は前記ヘッドライト若しくは前記バックライトのランプ室内に取り付けられていることが好ましい。
【０００７】
また、前記第１の発光素子及び前記第２の発光素子は、発光ダイオード又は表面実装型ＬＥＤであることが好ましい。
【考案の効果】
【０００８】
本考案の車両の補助ランプは、車両の所定の箇所に取り付け、車両電源又は方向指示ランプスイッチの起動により発光様態を制御することができる。
【図面の簡単な説明】
【０００９】
【図１】本考案の一実施形態による車両の補助ランプの電気回路を示すブロック図である。
【図２】本考案の一実施形態による車両の補助ランプをヘッドライトに取り付けたときの状態を示す正面図である。
【図３】本考案の一実施形態による車両の補助ランプをバックライトに取り付けたときの状態を示す背面図である。
【図４】本考案の一実施形態による車両の補助ランプをヘッドライトのランプ室内に取り付けたときの状態を示す正面図である。
【考案を実施するための形態】
【００１０】
図１〜図４を参照する。図１〜図４に示すように、本考案の一実施形態による車両の補助ランプは、車両の車体１のヘッドライト１１若しくはバックライト１２に隣接した箇所（例えば、上方）、又はヘッドライト１１若しくはバックライト１２のランプ室内にランプユニット２が取り付けられている。ランプユニット２は、複数の第１の発光素子２１及び複数の第２の発光素子２２を有する。制御ユニット３は、ランプユニット２の第１の発光素子２１及び第２の発光素子２２と、方向指示ランプスイッチ４及び電源５とに電気的に接続されている。
【００１１】
車両を起動させて電源５により各部品に電力を供給すると、第１の発光素子２１は、制御ユニット３により制御されて発光する。車両を起動させた状態で、方向指示ランプスイッチ４を起動させると、第１の発光素子２１は、制御ユニット３により制御されて発光が停止し、第２の発光素子２２が点滅式の発光を行う。車両を起動させずに方向指示ランプスイッチ４を起動させる場合、制御ユニット３の制御により第２の発光素子２２が点滅式の発光を行い、当該車両を運転している運転者自身、他車両の運転者、歩行者などに車両の進行方向を知らせることで、運転の安全を確保し、事故の発生を防止することができる。
【００１２】
第１の発光素子２１及び第２の発光素子２２は、発光ダイオード（ＬＥＤ）又は表面実装型ＬＥＤ（ＳＭＤ  ＬＥＤ）である。
【００１３】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１４】
１  車体
２  ランプユニット
３  制御ユニット
４  方向指示ランプスイッチ
５  電源
１１  ヘッドライト
１２  バックライト
２１  第１の発光素子
２２  第２の発光素子
【図１】
0003165457.tif 000003
【図２】
0003165457.tif 000004
【図３】
0003165457.tif 000005
【図４】
0003165457.tif 000006
(57)【要約】【課題】競技用やゲーム用のスチックを使用する際の競技者や観客等の安全や、競技場の床面やマットの保護を図り、打撃の強弱のために大小の緩衝部材付きスチックを提供する。【解決手段】スチック１の打撃部に緩衝部材として、それぞれ、大ゴムキャップ２と小ゴムキャップ３を用いたゴムキャップ付き木製スチックとした。緩衝部材としては、ゴムに代えてスポンジや軟質プラスチックなどを用いても良い。【選択図】図１
0003165500.tif 000002
【実用新案登録請求の範囲】
【請求項１】
競技用やゲーム用のスチックの打撃部に大小の緩衝部材を取付けたことを特徴とする緩衝部材付きスチック。
【考案の詳細な説明】
【技術分野】
【０００１】競技用やゲーム用のスチックを使用する際の競技者や観客等の安全や、競技場の床面やマットの保護を図り、打撃の強弱のために大小の緩衝部材付きスチックを提供する。
【背景技術】
【０００２】競技用やゲーム用のスチックが使用されている。
【考案の概要】
【考案が解決しようとする課題】
【０００３】競技用やゲーム用のスチックを使用する際に、競技者や観客等の安全や、競技場の床面やマットの保護を図る必要があり、打撃の技術面に対処する。
【課題を解決するための手段】
【０００４】競技用やゲーム用のスチックの打撃部に大小の緩衝部材を取り付けた。
【考案の効果】
【０００５】競技用やゲーム用のスチック１の打撃部に大小の緩衝部材を取り付けたので、競技者や観客等の安全や、競技場の床面やマットの保護が確実に図れて、且つ打撃の技術面に寄与した。
【図面の簡単な説明】
【０００６】
【図１】図１は本考案に係る一実施例を示す側面図である。
【考案を実施するための形態】
【０００７】本考案に係る具体例を、図１を参考に以下説明する。
【実施例】
【０００８】図１に図示する如く、本実施例では、木製スチック１の打撃部に大小の緩衝部材として、それぞれＡ部に大ゴムキャップ２と、Ｂ部に小ゴムキャップ３を用いたゴムキャップ付き木製スチックとした。緩衝部材としては、ゴムに代えて、スポンジや軟質プラスチックなどを用いても良い。
【符号の説明】
【０００９】１・・・・木製スチック
２・・・・大ゴムキャップ
３・・・・小ゴムキャップ
【図１】
0003165500.tif 000003
【手続補正書】
【提出日】平成22年10月25日(2010.10.25)
【手続補正１】
【補正対象書類名】実用新案登録請求の範囲
【補正対象項目名】全文
【補正方法】変更
【補正の内容】
【実用新案登録請求の範囲】
【請求項１】
競技用やゲーム用のＴ型スチックの水平部両端打撃部に大小の緩衝部材を取付けたことを特徴とする大小の緩衝部材付きスチック。
(57)【要約】      （修正有）【課題】スーパーマーケットなどに置いてあるロールタイプのポリ袋やレジ袋の口を簡単に開けることが出来る開口器具を提供する。【解決手段】柄がトングのように挟んだ後に元の形状に戻ろうとするバネの構造を持ち、かつ、柄の先の噛み合わせ部分の両端に粘着素材を取り付ける。粘着素材部分は、粘着度が低下した場合に交換可能なカートリッジタイプとする。【選択図】図１
0003165497.tif 000002
【実用新案登録請求の範囲】
【請求項１】
柄がトングのように挟んだ後に元の形状に戻ろうとするバネの構造を持ち、かつ、柄の先の噛み合わせ部分の両端に粘着素材を取り付けた形状を特徴とするポリ袋の開口器具。
【請求項２】
粘着素材部分は、粘着度が低下した場合に交換可能なカートリッジタイプとする。
【考案の詳細な説明】
【考案の概要】
【考案が解決しようとする課題】
【０００１】  スーパーマーケットなどでよくロールタイプのポリ袋が設置されているが、素材が薄く滑りやすいので上手くポリ袋の口を開けられないといった問題があった。
また、レジ袋においても同様の問題があった。
店によっては、濡れ布きんをおいて指を湿らせて口を開けやすく工夫しているところも見かけるが、多くの客が利用するので不衛生に感じる場合があった。
本考案は、この課題を解消するためになされたものである。
【課題を解決するための手段】
【０００２】  小型トングの物を挟む部分の両側に、粘着性のある透明で軟質なゲル状シールを固定した。
【考案の効果】
【０００３】ポリ袋の口の付近をこのトングで挟むことにより、トングに取り付けたゲル状シールの粘着力とトングが挟んだ後に元に戻ろうとする力によって、ポリ袋の口を簡単に開く事ができる。
【図面の簡単な説明】
【０００４】
【図１】  ポリ袋開口器具全体を示した立体図である。
【図２】  粘着ゲル状シールカートリッジを示した平面図である。
【符号の説明】
【０００５】  １  粘着ゲル状シールカートリッジ本体
２  粘着ゲル状シール
３  トング
【図１】
0003165497.tif 000003
【図２】
0003165497.tif 000004
【手続補正書】
【提出日】平成22年10月25日(2010.10.25)
【手続補正１】
【補正対象書類名】実用新案登録請求の範囲
【補正対象項目名】請求項２
【補正方法】変更
【補正の内容】
【請求項２】
粘着素材部分が、粘着度が低下した場合に交換可能なカートリッジタイプであることを特徴とする請求項１記載のポリ袋の開口器具。
(57)【要約】      （修正有）【課題】玄米袋のつかみ取り吊り具で玄米袋をつかみ取りホイストで吊り上げて単管パイプをレールにして手動式サドルと手動式トロリを使って前後左右自在に搬送する装置を提供する。【解決手段】搬送装置は、前後の移動をサドル装置、左右の移動をトロリ装置で行う。サドル装置は、単管パイプで形成されたレールと荷物のつかみ取り具を保持するクランプ４を取り付けたサドル本体１、単管パイプ５で形成されたレールの上を走行する車輪３、車輪をサドル本体に取り付けるピンからなるトロリ装置は、単管パイプ６で形成されたレールと荷物のつかみ取り具を保持するフックを取り付けたトロリ本体、単管パイプで形成されたレールの上を走行する車輪、車輪をトロリ本体に取り付けるピンにより構成する。【選択図】図１
0003165493.tif 000002
【実用新案登録請求の範囲】
【請求項１】
単管パイプをレールにして使う手動式サドルと手動式トロリ米作農家の作業場の天上の低い場所で使えるように手動式サドルの車輪から手動式トロリの下部のホイストのフックを吊り下げる部分まで短く形成したことを特徴とする手動式サドルと手動式トロリ。
【考案の詳細な説明】
【技術分野】
【０００１】本考案は単管パイプをレールにして使う手動式サドルと手動式トロリに関するものである。
【背景技術】
【０００２】玄米袋を人力により手で持ち上げで搬送していた。
【考案が解決しようとする課題】
【０００３】玄米袋を人力により手で持ち上げて搬送していては労動的負担である。従って単管パイプをレールにして使う手動式サドルと手動式トロリを使って前後左右自在に搬送することで前述の欠点を解決しようとするものである。
【課題を解決するための手段】
【０００４】玄米袋のつかみ取り吊り具で玄米袋をつかみ取りホイストで吊り上げて単管パイプをレールにして手動式サドルと手動式トロリを使って前後左右自在に搬送することにより問題点を解決している。
【考案の効果】
【０００５】上述の様に、本考案の単管パイプをレールにして使う手動式サドルと手動式トロリを使うことにより労動的負担を軽減することができる。
【図面の簡単な説明】
【０００６】
【図１】本考案の単管パイプをレールにして使う手動式サドルの実施例を示す正面図である。
【図２】本考案の単管パイプをレールにして使う手動式トロリの実施例を示す側面図である。
【考案を実施するための形態】
【０００７】単管パイプをレールにして手動式サドルと手動式トロリを使ってホイストで玄米袋つかみ取り吊り具を使って吊り上げ前後左右自在に搬送できる。
米作農家の作業場の天上の低い場所で使えるように形成した。
【実施例】
【０００８】以下添付図面に従って実施例を説明する。
１、は鉄又はステンレスなど耐久性のある適合素材にて加工形成された単管パイプをレールにして使う手動式サドル本体  ２、はピン  ３、は鉄又はウレタンなど耐久性のある適合素材にて加工形成された車輪  ４、は単管クランプ  ５、は手動式サドル用単管パイプ  ６、は手動式トロリ用単管パイプ  ７、は鉄又はステンレスなど耐久性のある適合素材にて加工形成された単管パイプをレールとして使う手動式トロリ本体  ８、はピン  ９、は鉄又はウレタンなど耐久性のある適合素材にて加工形成された車輪  １０、はホイストのフック
【符合の説明】
【０００９】１    サドル本体
２    ピン
３    車輪
４    クランプ
５    サドル用単管パイプ
６    トロリ用単管パイプ
７    トロリ本体
８    ピン
９    車輪
１０  ホイストのフック
【図１】
0003165493.tif 000003
【図２】
0003165493.tif 000004
【手続補正書】
【提出日】平成22年10月6日(2010.10.6)
【手続補正１】
【補正対象書類名】実用新案登録請求の範囲
【補正対象項目名】全文
【補正方法】変更
【補正の内容】
【実用新案登録請求の範囲】
【請求項１】
単管パイプで形成されたレールと荷物のつかみ取り具を保持するクランプを取り付けたサドル本体、単管パイプで形成されたレールの上を走行する車輪、車輪をサドル本体に取り付けるピンからなるサドルとからなることを特徴とする手動式サドル装置。
【請求項２】
単管パイプで形成されたレールと荷物のつかみ取り具を保持するフックを取り付けたトロリ本体、単管パイプで形成されたレールの上を走行する車輪、車輪をトロリ本体に取り付けるピンからなるトロリとからなることを特徴とする手動式トロリ装置。
【手続補正２】
【補正対象書類名】明細書
【補正対象項目名】全文
【補正方法】変更
【補正の内容】
【考案の詳細な説明】
【技術分野】
【０００１】本考案は単管パイプをレールにして使う手動式サドル手動式トロリに関するものである。
【背景技術】
【０００２】玄米袋を入力により手で持ち上げで搬送していた。
【考案が解決しようとする課題】
【０００３】玄米袋を人力により手で持ち上げて搬送していては労動的負担である。従って単管パイプをレールにして使う手動式サドルと手動式トロリを使って前後左右自在に搬送することで前述の欠点を解決しようとするものである。
【課題を解決するための手段】
【０００４】玄米袋のつかみ取り吊り具で玄米袋をつかみ取りホイストで吊り上げて単管パイプをレールにして手動式サドルと手動式トロリを使って前後左右自在に搬送することにより問題点を解決している。
【考案の効果】
【０００５】上述の様に、本考案の単管パイプをレールにして使う手動式サドルと手動式トロリを使うことにより労動的負担を軽減することができる。
【図面の簡単な説明】
【０００６】
【図１】本考案の単管パイプをレールにして使う手動式サドルの実施例を示す正面図である。
【図２】本考案の単管パイプをレールにして使う手動式トロリの実施例を示す側面図である。
【考案を実施するための形態】
【０００７】単管パイプをレールにして手動式サドルと手動式トロリを使ってホイストで玄米袋つかみ取り吊り具を使って吊り上げ前後左右自在に搬送できる。米作農家の納屋の天上の低い場所で使えるように形成した。
【実施例】
【０００８】以下添付図面に従って実施例を説明する。１は鉄又はステンレスなど耐久性のある適合素材にて加工形成された単管パイプをレールにして使うサドル本体又はピン、３は鉄又はウレタンなど耐久性のある適合素材にて加工形成された車輪、４は単管クランプ、５は手動式サドル用単管パイプ、６は手動式トロリ用単管パイプ、７は鉄又はステンレスでありこれらの部材によって手動式サドル装置が構成される耐久性のある適合素材にて加工形成された単管パイプをレールとして使うトロリ本体、８はピン、９は鉄又はウレタンなど耐久性のある適合素材にて加工形成された車輪、１０はホイストフックでありこれらの部材によって手動式トロリ装置が構成される。
【符合の説明】
【０００９】１  サドル本体２  ピン３  車輪４  クランプ５  サドル用単管パイプ６  トロリ用単管パイプ７  トロリ本体８  ピン９  車輪１０  ホイストのフック
(57)【要約】      （修正有）【課題】ボタンを押すだけで、トイレットペーパーを簡単に取ることができる自動トイレットペーパー巻き出し機を提供する。【解決手段】コの字型のトイレットペーパーホルダー本体の横に、モーターで回転させることができるローラーを取り付ける。【選択図】図１
0003165495.tif 000002
【実用新案登録請求の範囲】
【請求項１】
トイレットペーパーホルダー本体にローラーの付けたモーターを取り付けた事今のペーパーホルダーはモーターの付けたものがないのでモーターを取り付ける事を考案の請求とする
【考案の詳細な説明】
【技術分野】
【０００１】本考案はトイレットペーパーホルダーにモーターを取り付けた事に関するものである
【背景技術】
【０００２】手の不十分な方が片手でもトイレットペーパーを巻き出す事ができる用になる。片手でボタンを軽く押すだけでトイレットペーパーが自動に巻き出てくるのでホテルなどのサービスにもなる
【先行技術文献】
【特許文献】
【０００３】
【特許文献１】
【非特許文献】
【０００４】
【非特許文献１】
【考案の概要】
【考案が解決しようとする課題】
【０００５】今までのトイレットペーパーホルダーにモーター取り付けた事モーターを付けた事でトイレットペーパーが片手でかんたんに取れるようになる
【課題を解決するための手段】
【０００６】本考案は元々のトイレットペーパーホルダーの横にモーターを取り付るそのモーターシャフトにローラを付けるローラーとカバーの中にトイレットペーパーがはさまれてローラーが回転す事によってペーパーが巻き出される。カバーとローラーのまさつによって解決する
【考案の効果】
【０００７】本考案は手の不十分な方がたすかる。ボタンを軽く押すだけでトイレットペーパーが出てくる用うになる。トイレットペーパーのこうかんもかんたんになる。どのメーカーのペーパーもセットがかんたん。トイレットペーパーを上から入れるだけでペーパーホルダーにセットできる。
カーバーのふたをあけてぺーパーを上から入れるだけでペーパーがセットできる。
【図面の簡単な説明】
【０００８】
【図１】本考案の自動トイレットペーパー巻き出し機の断面図である
【図２】本考案の自動トイレットペーパー巻き出し機の正面図である
【本考案を実施するための形態】
【０００９】本考案はコの字型の本体部の横にモーターを取り付けるコの字型の本体に半円形の受けを付ける受けのかたちは
0003165495.tif 000003
そのモーターのシャフトにすべり止めのついたローラーを付ける
0003165495.tif 000004
とふたのカーバーがかさなる用うになる重さなったあいだにトイレットペーパーをはさみこむ。トイレットペーパーを上から入れるだけでふたカーバーをしめるだけでペーパーははさまれるローラーとカーバーにはさまれたペーパーはローラーの付いたモーターを回転させるとまさつのちからでトイレットペーパーは巻きでてくる出てきたペーパーは下の受板に受けとられる
【実施例】
【００１０】図面に従って一実施例を説明する
コの字型の本体部５にモーター１を取り付けるそのモーター１のシャフトにすべり止の付いたローラー２を取り付けローラー２とふたのカバー３でトイレットペーパー６をはさみこむローラー２とカバー３にはさまれたトイレットペーパー６はローラー２を回転させる事でペーパー６が巻きだされる巻き出されたペーパー６は下の受け板７で受け取られる
スイッチ４は押した時きだけローラー２が回転する【００１１】５の本体部はトイレットペーパー６よりもすこし大きめの半円形でそこにトイレットペーパー６を上からおとし入れるだけトイレットペーパー６の真ん中の穴はつかわないのでどこのメーカーのペーパー６が使えるそれとペーパーの入れかえがかんたんになる。トイレの今つかっているトイレットペーパーホルダーのスペースーに本考案のペーパー本体５はおなじねじ穴で取り付ができるトイレのスペースは今までのまましようできる。ただし本考案はモーター１を使うので電気がしつようになるのでスイッチ４の取り付けとトイレットペーパー６を受け取る板７の取り付けることがしつようになる，トイレのスペースは今までとほとんどかわらずにできる【００１２】この考案を今のトイレットにセットすればすごくべんりでからだの不十分なかたのやくにたつコの字型の５は今取り付いているねじ穴で取り付けができる本体５の上えにふたカーバー３をうえにあけてそこにトイレットペーパー６を入れる入れたペーパー６のはじをローラー２のうえにおくそのペーパー６をはさむようにふたカーバー３をしめるしめたカーバー３とローラー２にはさまれたペーパー６はモーター１を回転させる事でローラー３がまわりペーパー６を巻き出されるまき出されたペーパー６を受け取る板７がしつようになる巻き出されたペーパー６が受け取り板７にたまる
この考案はスイッチ４を押すだけでトイレットペーパー６を取り出せること
【符号の説明】
【００１３】  １  モーター
２  ローラー
３  ふたカーバー
４  スイッチ
５  コの字型の本体部半円型も一体
６  トイレットペーパー
７  受け取り板
【図１】
0003165495.tif 000005
【図２】
0003165495.tif 000006
【手続補正書】
【提出日】平成22年10月27日(2010.10.27)
【手続補正１】
【補正対象書類名】実用新案登録請求の範囲
【補正対象項目名】全文
【補正方法】変更
【補正の内容】
【実用新案登録請求の範囲】
【請求項１】
コの字型のトイレットペーパーホルダー本体の横に、モーターで回転させることができるローラーを取り付けた自動トイレットペーパー巻き出し機。
(57)【要約】      （修正有）【課題】血行を促進し、疲労回復等の効果を得られる健康木枕を提供する。【解決手段】枕の上部の首のあたる部分に、着脱式の指圧装置を設けた木製の枕と、枕の上部にあたる部分に植物性活性炭素繊維パッドを設けた、枕を覆うように作成された枕カバーからなる。【選択図】図１
0003165499.tif 000002
【実用新案登録請求の範囲】
【請求項１】
（イ）枕の上部の首のあたる部分に、着脱式の指圧装置を設けた木製の枕。
（ロ）上記（イ）の枕の上部にあたる部分に、植物性活性炭素繊維パッドがあたる構成で、枕を覆うように作成された枕カバー。
以上のごとく構成された健康木枕。
【考案の詳細な説明】
【技術分野】
【０００１】  木枕（木製の枕）は古代より使用されていたが、現在は軟質の素材による枕が主流となり、木枕は健康グッツか治療用として使用されているにすぎない。
使い慣れないと素材（木）が硬く感じられ敬遠される傾向があるが、頸椎の矯正や健康面において、木枕は優れた特性を持っている。
この木枕の持っている優れた特性を有効に活用するための構造を考案した。
【背景技術】
【０００２】  現在市販されている木枕は、木材を山形に形成したものや首筋がはまるように窪みをつけた形に形成したものがほとんどである。
頸椎の矯正に効果がるように造られたものや、木質のもつ清涼感や美しさを特徴としているが、材質が硬いことや、一般的となった軟らかい枕に慣れてしまったことから、だんだんと姿を消してきている。
【考案の概要】
【考案が解決しようとする課題】
【０００３】  硬い枕は頭部の重量による頸椎の負担を軽くする効果があり、このようなことから木枕は頸椎矯正用のものや健康グッツとしてのものがあるが、一般的には硬いことに対する忌避感と馴染みがうすいことから使用者が少ない。
然しながら、上述のごとく木枕は枕としての効果的な特性を有しており、これをさらに生かす構造にするとともに、遠赤外線の輻射熱を発し血行を促進する効果があり、併せて脱臭効果、抗菌効果のある植物性活性炭素繊維との組合せにより、優れた健康枕を提供する。
【課題を解決する為の手段】
【０００４】  上記の課題を解決するために、木材を形成加工して枕としての使用に適した形の本体をつくる。
この本体の上部の首に接する部分に、球状の頸部指圧用具を、取り外しが出来る状態で配置する。
また、本体の中を函形の空間として、使用しないときの頸部指圧用具の収納場所とする。
この本体が入る函形のカバーをつくり、底部に植物性活性炭素繊維を使用したパッドを装着できるようにして、底部を上にしてかぶせて装着する。
このカバーと枕本体の上部との間にクッション材を入れることにより、枕の高さが調節できるようになる。
【考案を実施するための形態】
【０００５】▲１▼木材を形成加工して、枕に適した形状の本体（図１）をつくる。
▲２▼本体の上部の中心部分に、球状の指圧用具が入る半円形の穴（３）を設ける。
この位置は、指圧の壺である天柱並びに風池に合致するように設ける。
この半円形の穴に、球状の指圧用具の上半分が露出した状態で置く。
指圧しないときは、この指圧用具を取り外す。
▲３▼本体の中に函形の空間を設け物入れとする。函が二つに開く（図２）ような形状にして使用しないときの指圧用具などを収納する。
▲４▼函形のカバー（図３）を布地でつくり、その底部に植物性活性炭素繊維によるパッドを装着する筒状の袋を設け、そこに植物性活性炭素繊維パッドを装着する。
このカバーの底部を上にして、本体にかぶせる。
【発明の効果】
【０００６】▲１▼枕本体の上部の中央部に設けた、天柱並びに風池の指圧の壺の位置につくられた半円球型の穴ににはめ込まれた球状の指圧用具に、頭部の重量がかかることにより、指圧効果がうまれ、頸部の血行を促進し、疲労を回復するとともに、ストレスを解消する。
▲２▼球状の指圧用具を取り外すことにより、通常の枕として使用でき、植物性活性炭素繊維パッドの装着により、頸部及び頭部、顔面の血行を促進し、脳の疲労回復や脳性疾患の予防、美容等に効果がある。
▲３▼本体の上部とカバーの間にクッションを置くことにより、枕の高さが調節でき、使い勝手が良くなる。
【図面の簡単な説明】
【０００７】
【図１】枕全体の図
【図２】枕の中央部が開いた状態の図
【図３】枕カバー全体図
【図４】指圧装置の断面図
【符合の説明】
【０００８】（１）枕本体の上部
（２）枕本体の下部
（３）指圧装置
（４）枕本体の下部の内側の収納部
（５）枕カバーの植物性活性炭素繊維パッド装着部
（６）枕本体の上部の指圧装置部
（７）指圧球
【図１】
0003165499.tif 000003
【図２】
0003165499.tif 000004
【図３】
0003165499.tif 000005
【図４】
0003165499.tif 000006
【手続補正書】
【提出日】平成22年10月26日(2010.10.26)
【手続補正１】
【補正対象書類名】実用新案登録請求の範囲
【補正対象項目名】全文
【補正方法】変更
【補正の内容】
【実用新案登録請求の範囲】
【請求項１】
枕の上部の首のあたる部分に、着脱式の指圧装置を設けた木製の枕と、前記枕の上部にあたる部分に植物性活性炭素繊維パッドを設けた、前記枕を覆うように作成された枕カバーからなる健康木枕。
(57)【要約】      （修正有）【課題】自分の手加減で、強くも弱くも掻くことができる弾力性のある背中掻きブラシを提供する。【解決手段】ブラシ及びスポンジに曲がる柄をつけた構成の背中掻きブラシ１で、柄２を複数本に分解可能にしたもの。ブラシは多面体状になっているので、その向きを確認することなく、掻くことができる。また、取っ手を回転させながら掻くので力が一点に集中せず、手を上下に動かすと痒みが止まり、痛くならない。更には、取っ手の部分が任意角度に折り曲げられるので、背中に手が届きにくい老人、病人は背中を掻きやすい構成になっている。ブラシ、曲がる柄、棒状の柄は分解、接続ができるので持ち歩きができる。【選択図】図１
0003165496.tif 000002
【実用新案登録請求の範囲】
【請求項１】
球状、楕円球状、多面体状、柱状等の立体型のブラシ又はスポンジに柄を取り付けた構成になっていて、前記柄は一部が任意角度に折り曲げ可能になっていることを特徴とする背中掻きブラシ。
【請求項２】
前記柄は複数本で構成され、接続、分解可能になっていることを特徴とする請求項１記載の背中掻きブラシ。
【考案の詳細な説明】
【技術分野】この考案は背中掻きブラシに関するものである。
【技術背景】
背中掻き製品である孫の手には次の欠点がある。
▲１▼既製孫の手は木製品、プラスティック製品等の先端が小さいので、掻く範囲が狭くなる。
▲２▼硬い材料なので、強く掻くと一点に力が集中し赤くなったり血がにじんだり、痛くなることがある。
▲３▼老人や病人など手を高く上げられない人にとっては、使い勝手が悪い。
【考案の概要】
【考案が解決しようとする課題】上記欠点を解決するのがこの考案の課題である。
【課題を解決する手段】
上記課題を解決するためにこの考案が提供する背中掻きブラシは次の（１）と（２）に記載のものである。
（１）球状、楕円球状、多面体状、柱状等の立体型のブラシに柄を取り付けた構成になっていて、前記柄は一部が任意角度に折り曲げ可能になっていることを特徴とする背中掻きブラシ。
（２）前記柄は複数本で構成され、接続、分解可能になっていることを特徴とする背中掻きブラシ。
【考案の効果】
この考案によれば次の効果が得られる。
▲１▼ブラシは多面体状になっているので、その向きを確認することなく、掻くことができる。
▲２▼取っ手を回転させながら掻くので力が一点に集中しないので手を上下に動かすと痒みが止まり、痛くならない。（取っ手を回転させなくとも痒みは止まる）
▲３▼取っ手の部分が任意角度に折り曲げられるので、背中に手が届きにくい老人、病人は背中を掻きやすい構成になっている。
▲４▼ブラシ、曲がる柄、棒状の柄は接続、分解ができるので持ち歩きができる。
【図面の簡単な説明】
【図１】実施例１の背中掻きブラシの斜視図
【図２】実施例２の背中掻きブラシの断面図
【図３】実施例３の斜視図
【考案を実施するための形態】
以下本考案の実施の形態を実施例によって説明する。
【実施例１】図１は柱状のブラシ１に柄２を取り付けた構成となっていて、前記柄２は折り曲げ可能な金属でスパイラル状になっていることを特徴とする背中掻きブラシである。
【実施例２】図２は柄１２の先に円柱状のブラシ１１を取り付けた背中掻きブラシである。柄１２は木製の柄１２ａ，１２ｂと、折り曲げ可能な金属でスパイラル状に形成した金属製の柄１２ｃとよりなり、それらは接続、分解可能になっている。柄１２は分解して１／３の長さにできる。ブラシ１１と任意角度に折り曲げる柄１２ｃと棒状の柄１２ａ，１２ｂを切り離せるので、小さくして持ち歩きができる。
【実施例３】図３は柄２２の先に楕円球状のスポンジ２１を取り付けた構成となっている背中掻きブラシである。機能は実施例１と実質的に同じである。
【図１】
0003165496.tif 000003
【図２】
0003165496.tif 000004
【図３】
0003165496.tif 000005
【手続補正書】
【提出日】平成22年10月5日(2010.10.5)
【手続補正１】
【補正対象書類名】実用新案登録請求の範囲
【補正対象項目名】請求項１
【補正方法】変更
【補正の内容】
【請求項１】
球状、楕円球状、多面体状、柱状の立体型のブラシ又はスポンジに柄を取り付けた構成になっていて、前記柄は一部が任意角度に折り曲げ可能になっていることを特徴とする背中掻きブラシ。